(57)【要約】【課題】加熱装置単体での使用性を損なうことなく収納家具等に組み込んだときのマッチングが良好な加熱装置を提供する。【解決手段】加熱室３を開閉する扉４と、加熱手段を制御する制御５部と、加熱手段の駆動を制御する操作部６とを備え、前記操作部６は半透明部材の内側に静電スイッチを設けて構成するとともに半透明部材のタッチによって発光しかつスイッチ操作が受付状態となる構成としてあり、操作部は通常外部から視認することができず、収納家具等に組み込んだ時の家具等とのマッチングがよいものとなるとともに、使用者が使用すべく半透明部材にタッチすれば操作部が発光してスイッチング操作が受け付け状態となるからこれまでの装置と同様に使用でき、使用性を損なうこともない。【選択図】図２
2007333372.tif 000002
【特許請求の範囲】
【請求項１】
加熱室と、前記加熱室内の被加熱物を加熱する加熱手段と、前記加熱室を開閉する扉と、前記加熱手段を制御する制御部と、前記加熱手段の駆動を制御する操作部とを備え、前記操作部は半透明部材の内側に静電スイッチを設けて構成するとともに前記半透明部材のタッチによって発光しかつスイッチ操作が受付状態となる加熱装置。
【請求項２】
扉は半透明部材で形成して加熱室を構成する機器本体の前面に開閉自在に配置するとともに、この機器本体の加熱室前面上部は扉と同様半透明部材からなる前板で覆い、当該前板に操作部を設けた請求項１記載の加熱装置。
【請求項３】
機器本体は加熱室内の熱気を排気する排気用ファンと排気口を備え、前記排気口を扉と前板との間に開口させた請求項２記載の加熱装置。
【請求項４】
半透明部材に複数のスイッチ操作表示部を設け、このスイッチ操作部に触れることによってスイッチ操作部が発光するとともに静電スイッチが受け付け状態となり、当該スイッチ操作部のタッチによって制御を開始する請求項１〜３のいずれか１項記載の加熱装置。
【請求項５】
加熱室と、前記加熱室内の被加熱物を加熱する加熱手段と、前記加熱室を開閉する扉と、前記加熱手段を制御する制御部と、前記加熱手段の駆動を制御する操作部とを備え、前記操作部は半透明部材の内側に静電スイッチを設けて構成するとともに前記扉の開閉または扉のハンドルにタッチすることによって発光しかつスイッチ操作が受付状態となる加熱装置。
【請求項６】
加熱室と、前記加熱室内の被加熱物を加熱する加熱手段と、前記加熱室を開閉する扉と、前記加熱手段を制御する制御部と、前記加熱手段の駆動を制御する操作部と、人体検出手段とを備え、前記操作部は半透明部材の内側に静電スイッチを設けて構成するとともに前記人体検出手段が人体を検出すると発光しかつスイッチ操作が受付状態となる加熱装置。
【請求項７】
扉は加熱室内を透視可能な窓部を供えるとともに操作部はこの窓部と略同一面とした請求項１〜６のいずれか１項記載の加熱装置。
【請求項８】
扉窓部及び操作部の半透明部材をハーフミラーで構成したことを特徴とする請求項１〜７のいずれか１項記載の加熱装置。
【請求項９】
請求項１〜８のいずれか１項記載の加熱装置を組み込んだ収納家具。
【請求項１０】
請求項１〜８のいずれか１項記載の加熱装置を組み込んだ壁体。
【発明の詳細な説明】
【技術分野】
【０００１】
本発明はヒータやマイクロ波等によって被加熱物を加熱する加熱装置に関し、特に収納家具等に組み込んで使用する場合に好適な加熱装置及びこれを組み込んだ家具、壁体に関する。
【背景技術】
【０００２】
一般にヒータやマイクロ波等によって被加熱物を加熱する加熱装置、例えば高周波加熱装置は装置本体の表面に加熱手段等の操作部が設けてある（例えば、特許文献１参照）。
【０００３】
図９はこのような高周波加熱装置を示し、装置本体５１の前面に加熱室５２を開閉する扉５３とともに加熱手段（図示せず）を操作する操作部５４が設けてあり、この操作部５４を操作して各種の加熱調理を行うようになっていた。
【特許文献１】特開平１０−１３２２８５号公報
【発明の開示】
【発明が解決しようとする課題】
【０００４】
しかしながら上記従来の加熱装置はその操作部５４が常に外部から視認できる状態となっており、加熱装置単体で使用するときは問題ないものの、収納家具等に組み込んで使用する場合にはこれを組み込んだ家具とのマッチングが悪いという課題があった。
【０００５】
本発明はこのような課題を解決したもので、装置単体での使用性を損なうことなく収納家具等に組み込んだときのマッチングを良好な加熱装置の提供を目的としたものである。
【課題を解決するための手段】
【０００６】
本発明は上記目的を達成するため、加熱室と、前記加熱室内の被加熱物を加熱する加熱手段と、前記加熱室を開閉する扉と、前記加熱手段を制御する制御部と、前記加熱手段の駆動を制御する操作部とを備え、前記操作部は半透明部材の内側に静電スイッチを設けて構成するとともに前記半透明部材のタッチによって発光しかつスイッチ操作が受付状態となる構成としてある。
【０００７】
これによって操作部は通常外部から視認することができず、収納家具等に組み込んだ時の家具等とのマッチングがよいものとなるとともに、使用者が使用するときには操作部が発光してスイッチング操作が受け付け状態となるからこれまでの装置と同様に使用でき、使用性を損なうこともない。
【発明の効果】
【０００８】
本発明は通常は操作部が視認できず使用時には従来と同様に操作部が視認できて操作できるから、使用性を損なうことなく装置単独使用時はもちろん、収納家具等に組み込んで使用するときの外観をすっきりとしたものにでき、かつ、非使用時は家具とのマッチングが良好なものとなる。
【発明を実施するための最良の形態】
【０００９】
第１の発明は、加熱室と、前記加熱室内の被加熱物を加熱する加熱手段と、前記加熱室を開閉する扉と、前記加熱手段を制御する制御部と、前記加熱手段の駆動を制御する操作部とを備え、前記操作部は半透明部材の内側に静電スイッチを設けて構成するとともに前記半透明部材のタッチによって発光しかつスイッチ操作が受付状態となる構成としてあり、操作部は通常外部から視認することができず、収納家具等に組み込んだ時の家具等との
マッチングがよいものとなるとともに、使用者が使用すべく半透明部材にタッチすれば操作部が発光してスイッチング操作が受け付け状態となるからこれまでの装置と同様に使用でき、使用性を損なうこともない。
【００１０】
第２の発明は、第１の発明において扉は半透明部材で形成して加熱室を構成する機器本体の前面に開閉自在に配置するとともに、この機器本体の加熱室前面上部は扉と同様半透明部材からなる前板で覆い、当該前板に操作部を設けた構成としてあり、機器本体全体の前面が半透明部材で構成されるから見た目にスッキリとしたものにできる。
【００１１】
第３の発明は、第２の発明において機器本体は加熱室内の熱気を排気する排気用ファンと排気口を備え、前記排気口を扉と前板との間に開口させた構成としてあり、聞き本体の前面に細長い一条の開口が臨区ことに成るから排気性能を維持しつつ良好な概観を保つことができる。
【００１２】
第４の発明は、第１の発明の透明部材に複数のスイッチ操作表示部を設け、このスイッチ操作部に触れることによってスイッチ操作部が発光するとともに静電スイッチが受け付け状態となり、当該スイッチ操作部のタッチによって制御を開始する構成としてあり、スイッチ操作部が当該スイッチ操作部を発光させる操作スイッチになるとともに制御部に制御信号を送信するスイッチともなり、構成の簡素化がはかれる。
【００１３】
第５の発明は、加熱室と、前記加熱室内の被加熱物を加熱する加熱手段と、前記加熱室を開閉する扉と、前記加熱手段を制御する制御部と、前記加熱手段の駆動を制御する操作部とを備え、前記操作部は半透明部材の内側に静電スイッチを設けて構成するとともに前記扉の開閉によって発光しかつスイッチ操作が受付状態となる構成としてあり、操作部は通常外部から視認することができず、収納家具等に組み込んだ時の家具等とのマッチングがよいものとなるとともに、使用者が使用すべく扉を開けば操作部が発光してスイッチング操作が受け付け状態となるからこれまでの装置と同様に使用でき、使用性を損なうこともない上に、扉を開かなければ操作部がスイッチ操作の受付状態とならないから誤って操作部に触れてしまって加熱が開始されてしまうという誤動作を未然防止することもできる。
【００１４】
第６の発明は、加熱室と、前記加熱室内の被加熱物を加熱する加熱手段と、前記加熱室を開閉する扉と、前記加熱手段を制御する制御部と、前記加熱手段の駆動を制御する操作部と、人体検出手段とを備え、前記操作部は半透明部材の内側に静電スイッチを設けて構成するとともに前記人体検出手段が人体を検出すると発光しかつスイッチ操作が受付状態となる構成としてあり、操作部は通常外部から視認することができず、収納家具等に組み込んだ時の家具等とのマッチングがよいものとなるとともに、使用者が使用すべく装置本体に近づけばこれを検出して自動的に操作部が発光しスイッチング操作が受け付け状態となるからこれまでの装置と同様に使用でき、使用性を損なうこともない上に、操作部に触れる等の操作を必要とせず、使い勝手のよいものと成る。
【００１５】
第７の発明は、上記１〜６いずれかの発明の扉は加熱室内を透視可能な窓部を備えるとともに操作部はこの窓部と略同一面とした構成としてあり、扉と操作部を一体的なものに認識されるようになり、家具等に組み込んだときの家具とのマッチングをより一層良好なものとすることができる。
【００１６】
第８の発明は、上記１〜７いずれかの発明の扉窓部及び操作部の半透明部材をハーフミラー処理した構成としてあり、家具等に組み込んだときの家具とのマッチングを更に良好なものとすることができる。
【００１７】
第９の発明は、上記１〜８のいずれかの発明の加熱装置を組み込んだ収納家具であり、また、第１０の発明は上記１〜８のいずれかの発明の加熱装置を組み込んだ壁体である。
【００１８】
以下、本発明の実施の形態を図面を参照しながら説明する。なお、この実施の形態によって本発明が限定されるものではない。
【００１９】
（実施の形態１）
図において、１は収納家具、２はこの収納家具１に組み込んだ加熱装置で、ヒータあるいは高周波あるいはスチーム等の加熱手段（図示せず）によって被加熱物を加熱する加熱室３が設けてある。４は前記加熱室３を開閉する扉で、金属枠に窓部４ａを設けて構成してあり、この窓部４ａは耐熱性ガラス等にスモーク処理を施して構成してある。５は前記加熱手段を制御する制御部で、装置本体の適所に設けてある。６は前記装置本体の扉上方に位置する前板に組み込んだ操作部で、前記制御部５を介して前記加熱手段等を制御するものである。
【００２０】
この操作部６は半透明部材７の内側に静電スイッチ８を設けて構成するとともに前記半透明部材７のスイッチ操作表示部９のタッチによって発光しかつスイッチ操作が受付状態となるように構成してある。すなわち、１０は操作部枠、１１はこの操作部枠１０内に設けたプリント基板で、制御部品とともに各種制御を制御部５に指示する静電スイッチ８が設けてあり、この静電スイッチ８は操作部枠１０に設けた開口１３から前面に臨ませてある。この各静電スイッチ８の前面を覆う如く両面テープ等の接着手段１６を介して操作部枠１０の前面に前記半透明部材７が装着してあり、これはスモーク処理したハーフミラーで構成してある。９は前記各静電スイッチ８に対応させて前記半透明部材７に形成したスイッチ操作表示部で、前記制御部５はこのスイッチ操作表示部９に使用者が触れることによって当該スイッチ操作表示部９の全部を発光させて外部から視認できるようにするとともにスイッチング操作を受け付け状態とするように構成してある。１８はスイッチング操作表示部９を発光させて外部から視認できるようにするためのＬＥＤ等からなる発光手段である。
【００２１】
したがって、この加熱装置の操作部６は、通常、前記スイッチ操作表示部９が外部からまったく視認できず、使用者がスイッチ操作表示部９に触れてそれに対応する発光手段１８が発光することにより始めて当該スイッチ操作表示部９が視認できるようにしてある。
【００２２】
上記構成から明らかなようにこの加熱装置では、操作部６のスイッチ操作表示部９が通常は外部から視認できず、よって加熱装置全体があたかも収納家具１の一部と見える程度にマッチングしたものとなる。
【００２３】
そして使用者がスイッチ操作表示部９の少なくともいずれかひとつに触れると各スイッチ操作表示部９に対応する発光手段１８が発光しスイッチ操作表示部９が操作部６に現れるとともに、これら各スイッチ操作表示部９はスイッチ操作受付状態となる。これによって使用者は希望する調理を行うべく必要なスイッチ操作表示部９にタッチすればそのスイッチ操作信号が制御部５に送信されて当該スイッチ操作表示部９に割り当てられた制御を行うことになる。
【００２４】
このときこの実施の形態ではスイッチ操作表示部９が当該スイッチ操作表示部９を発光させるスイッチと同スイッチ操作表示部９に対応する静電スイッチ８のスイッチング操作を受付状態、すなわち、静電スイッチ８からの信号を制御部５に送信可能とするスイッチを兼用する構成としてあるから、構成も簡単なものとすることができ、安価に提供することができるものである。
【００２５】
また、図６に示すようにこの実施の形態では、機器本体に加熱室３内の熱気を排気する排気ファン２２が組み込んであり、この排気ファン２２からの空気は機器本体内を冷却した後その熱気は加熱室外側部に設けた排気ダクト２３を通って機器本体の操作部を組み込んだ前板６と扉４との間に設けた排気口２４から排気されるように構成してある。この排気口２４は前板６と扉４との間にあって一条の線のように形成してあり、外観上すっきりとしたものにしてある。
【００２６】
（実施の形態２）
上記実施の形態１では操作部６のスイッチ操作表示部９に触れたときにスイッチ操作表示部９が視認できてスイッチ操作可能な状態になるように構成したが、これは図７に示すように扉４の開成によって作動するスイッチ１９あるいは扉ハンドルに設けたタッチスイッチによって行うようにしてもよく、また、図８に示すように装置本体の適所に組み込んだ赤外線センサー等の人体検知手段２１が人体を検知したときに行うようにしてもよいものである。
【図面の簡単な説明】
【００２７】
【図１】本発明の実施の形態１における加熱装置を収納家具に組み込んだ状態の斜視図
【図２】同加熱装置の扉を開成した時の斜視図
【図３】同加熱装置の操作部の発光時を示す正面図
【図４】同加熱装置の操作部の分解斜視図
【図５】同加熱装置の操作部の断面図
【図６】同加熱装置の断面図
【図７】（ａ）は他の実施形態における加熱装置の斜視図、（ｂ）は同断面図
【図８】（ａ）はさらに他の実施形態における加熱装置の斜視図、（ｂ）は同断面図
【図９】従来の加熱装置を示す斜視図
【符号の説明】
【００２８】
１  収納家具
２  加熱装置
３  加熱室
４  扉
４ａ  窓部
５  制御部  
６  操作部
７  半透明部材
８  静電スイッチ
９  スイッチ操作表示部  
１８  発光手段
２２  排気ファン
２３  排気ガイド
２４  排気口
【図６】
2007333372.tif 000003
【図１】
2007333372.tif 000004
【図２】
2007333372.tif 000005
【図３】
2007333372.tif 000006
【図４】
2007333372.tif 000007
【図５】
2007333372.tif 000008
【図７】
2007333372.tif 000009
【図８】
2007333372.tif 000010
【図９】
2007333372.tif 000011